(57)【要約】  【課題】フロントロックタイプのランドセル等の鞄における特有の課題、すなわち、かぶせを被覆し保護することが難しいという課題を解消する。  【解決手段】上面１ｕが開放された鞄本体１と、この鞄本体１に基端を支持させて当該鞄本体１の上面１ｕ及び正面１ｆを覆うかぶせ２と、このかぶせ２の先端部内面と前記鞄本体１の正面１ｆとの間に設けられた錠前３とを備えた鞄であるランドセルＲに使用されるかぶせ被覆用の鞄カバーＣにおいて、前記錠前３の操作部４７に対応する部位に切り欠きＫを設ける。【選択図】図１
2020081764.tif 000002
【特許請求の範囲】
【請求項１】
上面が開放された鞄本体と、この鞄本体に基端を支持させて当該鞄本体の上面及び正面を覆うかぶせと、このかぶせの先端部内面と前記鞄本体の正面との間に設けられた錠前とを備えた鞄に使用されるかぶせ被覆用の鞄カバーであって、前記錠前の操作部に対応する部位に切り欠きを設けた鞄カバー。
【請求項２】
前記錠前の一部が正面視において露出している鞄のかぶせに被着される請求項１記載の鞄カバー。
【請求項３】
前記鞄が、その錠前の操作部の少なくとも一部を前記かぶせの先端より外側に突出させたものであり、
前記切り欠きが前記操作部の突出部分に対応させて設けられている請求項２記載の鞄カバー。
【請求項４】
前記鞄が、前記かぶせの先端側の外面に前記錠前を施錠する際の指掛けとなる突出部を備えたものであり、
前記突出部の上方近傍に位置する部位に凹部を形成している１、２又は３記載の鞄カバー。
【請求項５】
前記かぶせの外面に添接されるカバー本体と、このカバー本体の先端部内面側にポケットを形成すべく設けられた裏当て部とを備え、そのポケットに前記かぶせの先端部を挿入した状態で当該かぶせに装着されるものであって、その下縁に前記切り欠きを設けている請求項３記載の鞄カバー。
【請求項６】
上面が開放された鞄本体と、この鞄本体に基端を支持させて当該鞄本体の上面及び正面を覆うかぶせと、このかぶせの先端部内面と前記鞄本体の前面との間に設けられた錠前とを備えた鞄に、前記かぶせの外面を覆う鞄カバーを装着したカバー付き鞄であって、前記鞄カバーが、前記錠前の操作部に対応する部位に切り欠きを有したものであるカバー付き鞄。
【発明の詳細な説明】
【技術分野】
【０００１】
本発明は、鞄カバー、及びその鞄カバーを装着したカバー付き鞄に関するものである。
【背景技術】
【０００２】
従来から、上面が開放されたランドセル本体と、このランドセル本体の上面及び正面を開閉可能に覆うかぶせと、このかぶせの外面に被着されたかぶせ被覆用のカバーとを備えたランドセルが知られている。かかるランドセルは、かぶせの先端からベロが延出させてあり、このベロの先端部をランドセル本体の下面に錠前を介して止着することによって前記かぶせを開かないようにロックしておくことができるようになっている（例えば、特許文献１参照）。
【０００３】
ところで、近時、上面が開放されたランドセル本体と、このランドセル本体に基端を支持させて当該ランドセル本体の上面及び正面を覆うかぶせと、このかぶせの先端部内面と前記ランドセル本体の前面との間に設けられた錠前とを備えた新しい構造のランドセル（以下、「フロントロックタイプのランドセル」と称する場合がある）が開発されている。
【０００４】
このようなフロントロックタイプのものは、前記かぶせの先端部内面側に錠前が存在するため、前述した従来タイプのカバーではこの形態に対応することができず、何らかの対策が望まれている。
【０００５】
そして、ランドセル以外の鞄においても同様な課題が存在する。
【先行技術文献】
【特許文献】
【０００６】
【特許文献１】特許第５１７６０５９号公報
【発明の概要】
【発明が解決しようとする課題】
【０００７】
本発明は、フロントロックタイプのランドセル等の鞄における特有の課題、すなわち、かぶせを被覆し保護することが難しいという課題を解消しようとするものである。
【課題を解決するための手段】
【０００８】
請求項１記載の発明に係る鞄カバーは、上面が開放された鞄本体と、この鞄本体に基端を支持させて当該鞄本体の上面及び正面を覆うかぶせと、このかぶせの先端部内面と前記鞄本体の正面との間に設けられた錠前とを備えた鞄に使用されるかぶせ被覆用の鞄カバーであって、前記錠前の操作部に対応する部位に切り欠きを設けたものである。
【０００９】
請求項２記載の発明に係る鞄カバーは、請求項１記載のものにおいて、前記錠前の一部が正面視において露出している鞄のかぶせに被着されるものである。
【００１０】
請求項３記載の発明に係る鞄カバーは、請求項２記載のものにおいて、前記鞄が、その錠前の操作部の少なくとも一部を前記かぶせの先端より外側に突出させたものであり、前記切り欠きが前記操作部の突出部分に対応させて設けられているものである。
【００１１】
請求項４記載の発明に係る鞄カバーは、請求項１、２又は３記載のものにおいて、前記鞄が、前記かぶせの先端側の外面に前記錠前を施錠する際の指掛けとなる突出部を備えたものであり、前記突出部の上方近傍に位置する部位に凹部を形成しているものである。
【００１２】
請求項５記載の発明に係る鞄カバーは、請求項３記載のものにおいて、前記かぶせの外面に添接されるカバー本体と、このカバー本体の先端部内面側にポケットを形成すべく設けられた裏当て部とを備え、そのポケットに前記かぶせの先端部を挿入した状態で当該かぶせに装着されるものであって、その下縁に前記切り欠きを設けているものである。
【００１３】
請求項６記載の発明に係るカバー付き鞄は、上面が開放された鞄本体と、この鞄本体に基端を支持させて当該鞄本体の上面及び正面を覆うかぶせと、このかぶせの先端部内面と前記鞄本体の前面との間に設けられた錠前とを備えた鞄に、前記かぶせの外面を覆う鞄カバーを装着したカバー付き鞄であって、前記鞄カバーが、前記錠前の操作部に対応する部位に切り欠きを有したものである。
【発明の効果】
【００１４】
本発明によれば、フロントロックタイプのランドセル等の鞄における特有の課題、すなわち、かぶせを被覆し保護することが難しいという課題を解消することができる。
【図面の簡単な説明】
【００１５】
【図１】本発明の一実施形態に係るカバー付きランドセルを示す全体斜視図。
【図２】同実施形態に係るランドセルと鞄カバーとをそれぞれ分離して示す斜視図。
【図３】同実施形態に係るランドセルへの鞄カバーの取付態様を示す図。
【図４】同実施形態に係るランドセルの正面側及び鞄カバーの背面側を示す図。
【図５】同実施形態に係る錠前の分解斜視図。
【図６】同実施形態に係るランドセルへの鞄カバーの取付態様を示す要部拡大図。
【図７】同実施形態に係るカバー付きランドセルの要部を示す拡大正面図。
【図８】図７における中央縦断面図。
【図９】図８におけるＸ矢視図。
【図１０】同実施形態に係る鞄カバーを示す正面図。
【図１１】同実施形態に係る鞄カバーを示す背面図。
【図１２】図１０におけるａ−ａ線に沿った拡大断面図。
【図１３】図１０におけるｂ−ｂ線に沿った拡大断面図。
【図１４】図１０におけるｃ−ｃ線に沿った拡大断面図。
【図１５】図１０におけるｄ−ｄ線に沿った拡大断面図。
【図１６】図１０におけるｅ−ｅ線に沿った拡大断面図。
【図１７】同実施形態に係る錠前の作動説明図。
【発明を実施するための形態】
【００１６】
本実施形態は、本発明を鞄の一つであるランドセルＲに適用した場合のものである。
【００１７】
このランドセルＲは、図１〜図３に示すように、上面が開放された鞄本体１と、この鞄本体１に基端２ａを支持させて当該鞄本体１における上面１ｕの開口部１０及び正面１ｆを覆うかぶせ２と、このかぶせ２の先端部２１内面と前記鞄本体１の前面１ｆとの間に設けられた錠前３とを備えたものである。
【００１８】
鞄本体１は、図１〜図４に示すように、大マチ部１１と小マチ部１３と前ポケット１５とを備えた箱状のもので、上面１ｕに開口部１０を有しており、背当て側にショルダーベルト１７が設けられている。そして、ショルダーベルト１７の上端部近傍には、鞄カバーＣ等を取り付けるためのリング状の掛止具１９が設けられている。この鞄本体１は、通常の構成のものであるため、詳細な説明は省略する。
【００１９】
かぶせ２は、鞄本体１の開口部１０を開閉すべく設けられたもので、錠前３を介してその先端２ｂ側を鞄本体１に係脱させ得るようになっている。
【００２０】
錠前３は、図４〜図９に示すように、かぶせ２の内側に設けられたかぶせ側の錠前要素４と、鞄本体１に設けられた本体側の錠前要素５とを備えている。
【００２１】
かぶせ側の錠前要素４は、図４〜図６に示すように、対をなすフック４１と、これらフック４１を先端側が接離する方向に回動可能に支持するかぶせ側の支持ハウジング４３とを具備してなる。
【００２２】
各フック４１は、主に図６に示すように、図示しない基端部が支持ハウジング４３に軸支された板状のもので、中間部の外側縁に本体側の錠前要素５に係合する係合部４５を一体に有するとともに、先端部の外側縁に操作部４７を一体に備えている。係合部４５は、施錠時に後述する本体側の錠前要素５のゲート５１に案内されてフック４１を相寄る方向に付勢するための傾斜案内縁４５ａと、施錠完了時にゲート５１の下縁に係合する係合縁４５ｂとを有するものである。操作部４７は、フック４１の先端外側縁からほぼ直角に延出するもので、これら両操作部４７をつまむことにより両フック４１を図示しないばねの付勢力に抗して相寄る方向に回動させることができるようになっている。そして、操作部４７の一部が、かぶせ２の先端２ｂより外側に突出している。換言すれば、操作部４７は、その先端側にかぶせ２の先端２ｂより外側に突出する突出部分４７ｔを有している。
【００２３】
支持ハウジング４３は、両フック４１の基端部及びこれら両フック４１を離間する方向に弾性付勢する図示しないばねを包持するもので、両フック４１の係合部４５及び操作部４７が外部に露出させてある。支持ハウジング４３の上端部両側には、当該かぶせ側の錠前要素４をかぶせ２に止着するための取付台座４９が設けられている。
【００２４】
以上説明したかぶせ側の錠前要素４は、前記かぶせ２の外側に配したかぶせプレート６と協働して前記かぶせ２の内側に取り付けられている。すなわち、この錠前３は、図６に示すように、かぶせ２の内側に配したかぶせ側の錠前要素４と、この錠前要素４に対応させてかぶせ２の外側に配したかぶせプレート６とをリベットＳ等の止着具を介して相互に結合したものである。かぶせプレート６は、錠前３を施錠する際に指をかける縁すなわち上縁６ａを他の縁よりも厚くした板状のものである。このかぶせプレート６の両端部に貫通させたリベットＳは、かぶせ２を貫通して支持ハウジング４３の取付台座４９に挿通させてあり、その挿通端をかしめることにより、これらかぶせプレート６とかぶせ側の錠前要素４とを結合している。
【００２５】
一方、本体側の錠前要素５は、図６に示すように、ゲート５１と、このゲート５１を支持する本体側の支持体５３と、これらゲート５１及び支持体５３と
の間に形成され前記かぶせ側の錠前要素４を受け入れる挿入口５５とを具備してなる。
【００２６】
前記ゲート５１は、図６に示すように、正面側の壁部５１ａと、この正面側の壁部５１ａの両端に連続して設けられた側面側の壁部５１ｂとを備えたもので、これら壁部５１ａ、５１ｂに囲まれた空間が挿入口５５として機能している。なお、両側面側の壁部５１ｂの先端側の縁すなわち下縁は、施錠状態でフック４１の係合部４５の係合縁４５ｂと係合する。そして、その係合状態から対をなす操作部４７をつまむことにより、フック４１の係合部４５の係合縁４５ｂと両側面側の壁部５１ｂの下縁との係合状態を解除できるようになっている。換言すれば、この錠前３は、対をなす操作部４７をつまむことにより、当該錠前３の係脱を操作し得るようにしたものである。
【００２７】
以上説明したランドセルＲに、本発明に係る鞄カバーＣを装着している。
【００２８】
すなわち、この鞄カバーＣは、上面が開放された鞄本体１と、この鞄本体１に基端２ａを支持させて当該鞄本体１の上面１ｕ及び正面１ｆを覆うかぶせ２と、このかぶせ２の先端部２１内面と前記鞄本体１の正面１ｆとの間に設けられた錠前３とを備えたランドセルＲに使用されるものであって、前記錠前３の操作部４７に対応する部位に切り欠きＫが設けられている。
【００２９】
詳述すれば、この鞄カバーＣは、図２〜図４及び図６〜図１６に示すように、かぶせ２の外面に添接されるカバー本体７と、このカバー本体７の先端部内面側にポケット９を形成すべく設けられた裏当て部８とを備え、そのポケット９にかぶせ２の先端部２ｂを挿入した状態で当該かぶせ２に装着されるものであって、その下縁Ｃａに前記切り欠きＫを備えている。
【００３０】
カバー本体７は、主に図１０〜図１６に示すように、かぶせ２の外面全域を覆い得る面積を有したメインシート７１と、このメインシート７１の上端部内面に添設された上補強シート７３と、メインシート７１における下端部内面の中央部分に添設された下補強シート７５とを備えたもので、これらメインシート７１、上補強シート７３、及び下補強シート７５は、それぞれポリ塩化ビニル（ＰＶＣ）等の透明シート素材を用いて構成されている。上補強シート７３の上縁部７３ａ、左右の側縁部７３ｂ、及び下縁部７３ｃは、段押し加工等によりメインシート７１に溶着されている。また、下補強シート７５の上縁部７５ａ、左右の側縁部７５ｂ、及び下縁部７５ｃは、段押し加工等によりメインシート７１に溶着されており、その下縁部７５ｃ及び対応するメインシート７１の下縁部に切り欠き部Ｋが形成されている。
【００３１】
また、このカバー本体７には、鞄カバーＣをランドセルＲに取付けるための取付部材７７が設けられており、カバー本体７には、ランドセルＲのかぶせ２を鞄本体１に係合させ易くするための凹部７ａが形成されている。取付け部材７７は、図３、図１０及び図１１に示すように、ボタン７７ａと、このボタン７７ａとともに基端部をカバー本体７の上端部中央に取付けられた取付帯７７ｂとを備えたもので、取付帯７７ｂの先端部には、ボタン７７ａに係脱可能なスリット７７ｃが形成されている。
【００３２】
裏当て部８は、カバー本体７との間に上方に開放されたポケット９を形成するためのもので、主に図１０〜図１６に示すように、カバー本体７の内面側に配される裏当てシート８１と、この裏当てシート８１をメインシート７１に強固に連接するための折り返し部分８３とを備えている。裏当てシート８１は、例えばメインシート７１と同じポリ塩化ビニル（ＰＶＣ）等の透明シート素材を用いて構成されたもので、左右の側縁部８１ｂ及び下縁部８１ｃが段押し加工等によりメインシート７１に溶着されている。裏当てシート８１の左右方向中央には、かぶせ側錠前要素４の主要部を露出させるための窓８１ａが形成されている。この実施形態では、窓８１ａは、カバー本体７の下補強シート７５と同じ略正方形状のものであり、窓８１ａを形成する際に切り取られたシート端材を下補強シート７５として利用している。折り返し部分８３は、メインシート７１の端から一体に延出させた舌片と裏当てシート８１の端から延出させた舌片とを重ね合わせて溶着するとともにそれら舌片を裏当てシート８１の裏面側に折り返して当該裏当てシート８１にも溶着したものである。なお、図４、図６及び図１１において、わかりやすくするためにこの裏当て部８にパターンを付している。
【００３３】
以上説明した鞄カバーＣは、下端側に設けられたポケット９にランドセルＲのかぶせ２の先端部２１を挿入した上で上端側に設けられた取付部材７７をランドセルＲのリング状の掛止部１９に掛け止めすることによってかぶせ２の外面に装着することができる。詳述すれば、かぶせ２をポケット９の奥にまで挿入すると、鞄カバーＣの下端部でかぶせ２の下端部を覆うことができるとともに、かぶせ２の内面に装着されたかぶせ側錠前要素４が窓８１ａを通して鞄ケースＣ外に露出することになり、錠前３としての本来の機能を発揮し得るようになる。そして、その鞄カバーＣをかぶせ２の外面に添接させて取付部材７７の取付帯７７ｂを掛止具１９に挿通させ、その挿通端部に形成されているスリット７７ｃにボタン７７ａを係合させることによって、当該鞄カバーＣのランドセルＲへの装着が完了する。
【００３４】
装着状態においては、鞄カバーＣの下縁Ｃａに設けた切り欠きＫが錠前３の操作部４７に対応するように位置づけられるとともに、線状の凹部７ａがかぶせ２のかぶせプレート６の上方近傍に位置することになる。そのため、ランドセルＲは、鞄カバーＣを装着していない場合に準じた操作により、かぶせ２の先端部２１を錠前３を介して鞄本体１の正面１ｆに装脱可能に係合させることができる。すなわち、鞄カバーＣの下端部にはかぶせプレート６の上方近傍に位置させて凹部７ａが設けてあるため、図８に示すように、カバー本体７の凹部７ａからかぶせプレート６の上縁６ａまでの間の部分７ｂが他の部分に比べて急傾斜となる。そのため、図８に示すように、この急傾斜部分７ｂに指をかけてかぶせ２の先端部２１を下方に付勢して施錠することができる。具体的には、図１７（ａ）に示す開錠状態からかぶせ２の先端部２１を下方に付勢すると、錠前３のかぶせ側錠前要素４の先端側が本体側錠前要素５のゲート５１の挿入口５５に挿入される。この状態からかぶせ側の錠前要素４を下方に移動させて本体側の錠前要素５に深く挿入していくと、図１７の（ｂ）に示すように、係合部４５の傾斜案内縁４５ａの案内作用により、両フック４１が相寄る方向に回動させられるようになる。そして、さらにかぶせ側の錠前要素４を下方に移動させると、図１７の（ｃ）に示すように、かぶせ側の錠前要素４のフック４１に設けられた係合部４５が本体側の錠前要素５のゲート５１を通過し終わることになり、側面側の壁部５１ｂによる拘束が解かれて両フック４１が図示しないばねの付勢力により一気に離間方向に回動することになり、これら両フック４１の係合部４５における係合縁４５ｂがゲート５１の側面側の壁部５１ｂの下縁に係合して施錠状態となる。
【００３５】
この施錠状態から図１７の（ｃ）に示すように、両操作部４７をつまんで両フック４１を相寄る方向に操作すると、両フック４１の係合部４５がゲート５１内に収まる位置に没入する。そのため、この操作状態を維持したままかぶせ側の錠前要素４を上方に抜き上げることにより、錠前３を解錠することができる。
【００３６】
この実施形態では、鞄カバーＣにおける錠前３の操作部４７に対応する部位に切欠きＫを設けているため、鞄カバーＣを装着しても錠前３の操作部４７に対する操作を円滑に行うことができる。
【００３７】
特に、この実施形態では、前記錠前３の一部が正面視において露出している、具体的にはその錠前３の操作部４７の少なくとも一部（突出部分４７ｔ）を前記かぶせ２の先端２ｂより外側に突出させたものであるので、その突出部分４７ｔに対応させてカバーＣに比較的小さな切欠きＫを設けるだけで錠前３の操作性が悪化するのを防止することができる。
【００３８】
さらに、ランドセルＲのかぶせ２の下部に押し込みのための突出部が備えられている、換言すれば、ランドセルＲが、かぶせ２の先端側の外面に錠前３を施錠する際の指掛けとなる突出部であるかぶせプレート６を備えたものであるので、図９に示すように、かぶせプレート６に対応する巾方向位置において、底面視で鞄カバーＣの先端面、すなわち切り欠きＫに対応する部位がかぶせ２の対応する部位からかぶせ２の厚さ方向に離間した状態となり、操作部４７に対する操作が鞄カバーＣにより妨げられない。
【００３９】
その上、鞄カバーＣが、かぶせプレート６の上方近傍に位置する部位に凹部７ａを形成したものであるため、かぶせ２の先端部２１を下方に付勢して施錠操作をするのも従来に準じた態様で行うことが可能になる。すなわち、カバー本体７の凹部７ａからかぶせプレート６の上縁６ａまでの間の部分７ｂが他の部分に比べて急傾斜となるので、その急傾斜部分７ｂに指を掛けてかぶせ２の先端部２１を下方に付勢して施錠操作を行うことができる。
【００４０】
また、鞄カバーＣは、かぶせ２の外面に添接されるカバー本体７と、このカバー本体７の先端部内面側にポケット９を形成すべく設けられた裏当て部８とを備え、そのポケット９にかぶせ２の先端部２１を挿入した状態で当該かぶせ２に装着され、その下縁Ｃａに切り欠きＫを設けているので、フロントロックタイプのランドセルＲにこのような鞄カバーＣを装着しても錠前３の操作に不具合を生じることがない。換言すれば、本実施形態のカバーＣ付きランドセルＲによれば、フロントロックタイプのものにもかかわらず、かぶせ２の外面を保護する鞄カバーＣを装着しても錠前３の操作に不具合を生じることがない。
【００４１】
なお、本発明は以上に述べた実施形態に限らない。
【００４２】
例えば、ランドセル以外の鞄に本発明を適用してもよい。
【００４３】
また、上述した実施形態では、操作部の一部をかぶせの先端よりも外側に突出させているが、操作部の全体をかぶせの先端よりも突出させてもよい。このようなものであっても、操作部が先端に設けられており、この操作部が鞄カバーの切欠きよりも外側に位置することとなるため、錠前の操作に不具合を生じることがない。
【００４４】
そして、上述した実施形態では、切欠きが操作部の先端部のみを露出させるような深さ寸法を有しているが、操作部の全体を露出させるような深さ寸法の切欠きを設けてももちろんよい。
【００４５】
その他、本発明の趣旨を損ねない範囲で種々に変形してよい。
【符号の説明】
【００４６】
Ｒ…鞄（ランドセル）
１…鞄本体
１ｕ…鞄本体の上面
１ｆ…鞄本体の正面
２…かぶせ
２ａ…かぶせの基端
２ｂ…かぶせの先端
３…錠前
４７…操作部
４７ｔ…操作部の突出部分
６…突出部（かぶせプレート）
Ｃ…鞄カバー
Ｃａ…鞄カバーの下縁
７…カバー本体
７ａ…凹部
８…裏当て部
９…ポケット
Ｋ…切り欠き
【図１】
2020081764.tif 000003
【図２】
2020081764.tif 000004
【図３】
2020081764.tif 000005
【図４】
2020081764.tif 000006
【図５】
2020081764.tif 000007
【図６】
2020081764.tif 000008
【図７】
2020081764.tif 000009
【図８】
2020081764.tif 000010
【図９】
2020081764.tif 000011
【図１０】
2020081764.tif 000012
【図１１】
2020081764.tif 000013
【図１２】
2020081764.tif 000014
【図１３】
2020081764.tif 000015
【図１４】
2020081764.tif 000016
【図１５】
2020081764.tif 000017
【図１６】
2020081764.tif 000018
【図１７】
2020081764.tif 000019